(57)【要約】【課題】車外の者に車両Ｖが移動を開始することを報知する。【解決手段】車両Ｖを目標駐車スペースに移動させる第１行動を車両Ｖに実行させる第１制御命令を算出し、第１行動の実行開始の際に、加減速を含む第２行動を車両に実行させる第２制御命令を算出し、第１制御命令と第２制御命令を含む制御命令を算出し、制御命令を車両に実行させる。【選択図】  図１
2019119232.tif 000002
【特許請求の範囲】
【請求項１】
車両の外の操作者から取得した操作指令に基づき、目標駐車スペースへ至る駐車経路に沿って前記車両を移動させる制御命令を前記車両に実行させる駐車制御方法であって、
前記車両を前記目標駐車スペースに移動させる第１行動を前記車両に実行させる第１制御命令を算出し、
前記第１行動の実行開始の際に、加減速を含む第２行動を前記車両に実行させる第２制御命令を算出し、
前記第１制御命令と前記第２制御命令を含む前記制御命令を算出し、
前記制御命令を前記車両に実行させる駐車制御方法。
【請求項２】
前記第２制御命令を算出する処理において、
前記第２行動における前記車両の加速度を、前記第１行動における前記車両の加速度よりも大きい値とする請求項１に記載の駐車制御方法。
【請求項３】
前記制御命令を算出する処理において、
前記第２行動の実行を開始させる第２タイミングは、前記第１行動の実行を開始させる第１タイミングの前後の第１所定時間以内である前記制御命令を算出する請求項１又は２に記載の駐車制御方法。
【請求項４】
前記制御命令を算出する処理において、
前記第２制御命令が実行された後の所定時間経過後、前記第１制御命令を実行させる請求項１〜３の何れか一項に記載の駐車制御方法。
【請求項５】
前記第１行動の実行開始の際に、前記車両を操舵させる第３行動を前記車両に実行させる第３制御命令を算出し、
前記第３制御命令をさらに含む前記制御命令を算出し、
前記制御命令を前記車両に実行させる請求項１〜４の何れか一項に記載の駐車制御方法。
【請求項６】
前記制御命令を算出する処理において、
前記第３行動の実行を開始させる第３タイミングは、前記第１行動の実行を開始させる第１タイミングの前後の第２所定時間以内である請求項５に記載の駐車制御方法。
【請求項７】
前記制御命令を算出する処理において、
前記第３制御命令を実行させた後の所定時間経過後、前記第１制御命令を実行させる請求項５又は６に記載の駐車制御方法。
【請求項８】
前記第１行動の実行開始の際に、前記第１行動の実行開始を報知する第４行動を前記車両に実行させる第４制御命令を算出し、
前記第４制御命令をさらに含む前記制御命令を算出し、
前記制御命令を前記車両に実行させる請求項１〜７の何れか一項に記載の駐車制御方法。
【請求項９】
車両の外の操作者から取得した操作指令に基づき、目標駐車スペースへ至る経路に沿って前記車両を移動させる制御命令を実行させる制御装置を備える駐車制御装置であって、
前記制御装置は、
前記車両を前記目標駐車スペースに移動させる第１行動を前記車両に実行させる第１制御命令を算出し、
前記第１行動の実行開始の際に、加減速を含む第２行動を前記車両に実行させる第２制御命令を算出し、
前記第１制御命令と前記第２制御命令を含む前記制御命令を算出し、
前記制御命令を前記車両に実行させる駐車制御装置。
【発明の詳細な説明】
【技術分野】
【０００１】
本発明は、駐車制御方法及び駐車制御装置に関する。
【背景技術】
【０００２】
無人走行開始時にＬＥＤやスピーカーを用いて車両外部への報知動作を実行する技術が知られている（特許文献１）。
【先行技術文献】
【特許文献】
【０００３】
【特許文献１】特許第４７５４８８３号公報
【発明の概要】
【発明が解決しようとする課題】
【０００４】
しかしながら、従来の駐車制御では、車両外部への報知動作が実行された後に車両が発信するため、車両が動き出すタイミングが分かりにくい。
【０００５】
本発明が解決しようとする課題は、車両が動き出すタイミングを車両外部の者に分かりやすく示すことである。
【課題を解決するための手段】
【０００６】
本発明は、車両を目標駐車スペースに移動させる第１行動を車両に実行させる第１制御命令と、第１行動の実行開始の際に、加減速を含む第２行動を車両に実行させる第２制御命令とを実行することにより、上記課題を解決する。
【発明の効果】
【０００７】
本発明によれば、車両が動き出すタイミングを車両外部の者に分かりやすく示すことができる。
【図面の簡単な説明】
【０００８】
【図１】図１は、本発明に係る本実施形態の駐車制御システムの一例を示すブロック構成図である。
【図２】図２は、本実施形態の駐車制御システムの制御手順の一例を示すフローチャートである。
【図３】図３は、ステップ１０７のサブルーチンの一例を示す。
【図４】図４（ａ）（ｂ）（ｃ）は、本実施形態の制御命令の１例を説明するための図である。
【図５】図５（ａ）（ｂ）は、本実施形態の制御命令が実行される場面を説明するための図である。
【図６Ａ】図６Ａは、制御命令の第１例を説明するための図である。
【図６Ｂ】図６Ｂは、制御命令の第２例を説明するための図である。
【図７Ａ】図７Ａは、制御命令の一例を示す第１のタイムチャート図である。
【図７Ｂ】図７Ｂは、制御命令の一例を示す第２のタイムチャート図である。
【図７Ｃ】図７Ｃは、制御命令の一例を示す第３のタイムチャート図である。
【図８】図８は、制御命令の他の例を示すタイムチャート図である。
【発明を実施するための形態】
【０００９】
以下、本発明の実施形態を図面に基づいて説明する。
本実施形態では、本発明に係る駐車制御装置を、駐車制御システムに適用した場合を例にして説明する。駐車制御装置は、車載装置と情報の授受が可能な可搬の操作端末（スマートフォン、ＰＤＡ：Personal Digital Assistantなどの機器）に適用してもよい。また、本発明に係る駐車制御方法は後述する駐車制御装置において使用できる。
【００１０】
図１は、本発明の一実施形態に係る駐車制御装置１００を有する駐車制御システム１０００のブロック図である。本実施形態の駐車制御システム１０００は、カメラ１ａ〜１ｄと、測距装置２と、情報サーバ３と、操作端末５と、駐車制御装置１００と、車両コントローラ７０と、駆動システム４０と、操舵角センサ５０ａと、車速センサ６０とを備える。本実施形態の駐車制御装置１００は、操作端末５から入力された操作指令に基づいて、駐車スペースに制御対象である車両Ｖを移動させる（駐車させる）動作を制御する。
【００１１】
操作端末５は、車両Ｖの外部に持ち出し可能な携帯型の入力機能及び通信機能を備えるコンピュータである。操作端末５は、駐車対象である車両Ｖの運転（動作）を制御するための操作者Ｍの操作指令の入力を受け付ける。運転には駐車（入庫及び出庫）の操作を含む。操作者Ｍは、操作端末５を介して駐車を実行させるための操作指令を含む命令を入力する。操作指令は、駐車制御の実行・停止、目標駐車スペースの選択・変更、駐車経路の選択・変更その他の駐車に必要な情報を含む。なお、操作者Ｍは、操作端末５を用いることなく、操作者Ｍのジェスチャなどにより操作指令を含む命令を、駐車制御装置１００に認識させる(入力する)こともできる。
【００１２】
操作端末５は通信機を備え、駐車制御装置１００、情報サーバ３と情報の授受が可能である。操作端末５は、通信ネットワークを介して、車外で入力された操作指令を駐車制御装置１００へ送信し、操作指令を駐車制御装置１００に入力させる。操作端末５は、固有の識別記号を含めた信号を用いて、駐車制御装置１００と交信する。
操作端末５は、ディスプレイ５３を備える。ディスプレイ５３は、入力インターフェイス、各種情報を提示する。ディスプレイ５３がタッチパネル型のディスプレイである場合には、操作指令を受け付ける機能を有する。
操作端末５は、本実施形態の駐車制御方法に用いられる操作指令の入力を受け付けるとともに、駐車制御装置１００へ向けて操作指令を送出するアプリケーションがインストールされたスマートフォン、ＰＤＡ：Personal Digital Assistantなどの携帯型の機器であってもよい。
【００１３】
情報サーバ３は、通信可能なネットワーク上に設けられた情報提供装置である。情報サーバは、通信装置３１と、記憶装置３２を備える。記憶装置３２には、読み取り可能な地図情報３３と、駐車場情報３４と、障害物情報３５とを備える。駐車制御装置１００、操作端末５は、情報サーバ３の記憶装置３２にアクセスして各情報を取得できる。
【００１４】
本実施形態の駐車制御装置１００は、制御装置１０と、入力装置２０と、出力装置３０とを備える。駐車制御装置１００の各構成は、相互に情報の授受を行うためにＣＡＮ（Controller Area Network）その他の車載ＬＡＮによって接続される。入力装置２０は、通信装置２１を備える。通信装置２１は、外部の操作端末５から送信された操作指令を受信し、入力装置２０に入力する。外部の操作端末５に操作指令を入力する主体は人間（ユーザ、乗員、ドライバ、駐車施設の作業員）であってもよい。入力装置２０は、受け付けた操作指令を制御装置１０に送信する。出力装置３０は、ディスプレイ３１を含む。出力装置３０は、駐車制御情報をドライバに伝える。本実施形態のディスプレイ３１は、入力機能及び出力機能を備えるタッチパネル式のディスプレイである。ディスプレイ３１が入力機能を備える場合には、ディスプレイ３１が入力装置２０として機能する。操作端末５から入力された操作指令に基づいて車両Ｖが制御されている場合であっても、乗員が入力装置２０を介して緊急停止などの操作指令を入力できる。
【００１５】
本実施形態の駐車制御装置１００の制御装置１０は、駐車制御プログラムが格納されたＲＯＭ１２と、このＲＯＭ１２に格納されたプログラムを実行することで、本実施形態の駐車制御装置１００として機能する動作回路としてのＣＰＵ１１と、アクセス可能な記憶装置として機能するＲＡＭ１３とを備える、駐車制御用のコンピュータである。
【００１６】
本実施形態の駐車制御プログラムは、車両Ｖが停止している第１状態から移動を開始した第２状態に移行する際に、車両Ｖを操舵させる操舵命令を含む制御命令に従って車両Ｖの駐車制御を実行させるプログラムを含む。駐車制御プログラムは本実施形態の駐車制御装置１００の制御装置１０により実行される。
【００１７】
本実施形態の駐車制御装置１００は、外部から操作指令を送り、車両Ｖの動きを制御して、車両Ｖを所定の駐車スペースに駐車させるリモートコントロールタイプのものである。乗員は車室外にいてもよいし、車室内にいてもよい。
本実施形態の駐車制御装置１００は、操舵操作、アクセル・ブレーキ操作が自動的に行われる自動制御タイプであってもよい。駐車制御装置１００は、操舵操作を自動で行い、アクセル・ブレーキ操作をドライバが行う半自動タイプであってもよい。
本実施形態の駐車制御プログラムでは、ユーザが目標駐車スペースを任意に選択してもよいし、駐車制御装置１００又は駐車設備側が目標駐車スペースを自動的に設定してもよい。
【００１８】
本実施形態に係る駐車制御装置１００の制御装置１０は、駐車経路の算出処理、制御命令の算出処理、及び駐車制御処理を実行させる機能を備える。制御装置１０は、さらに障害物検出処理を実行させ、障害物の位置を考慮して駐車経路を算出させる機能を備える。各処理を実現するためのソフトウェアと上述したハードウェアの協働により、上記各処理を実行する。
【００１９】
制御装置１０は、駐車経路ＲＴと、駐車経路ＲＴに従って車両Ｖを移動させる制御命令を算出する。制御命令には、駐車経路ＲＴを移動する際の速度、加減速度、加減速制御の実行位置（タイミング）、切り返し地点、操舵量などを含む。
【００２０】
以下、図２に示すフローチャートに基づいて駐車制御の制御手順を説明する。
図２は、本実施形態に係る駐車制御システム１０００が実行する駐車制御処理の制御手順を示すフローチャートである。駐車制御処理の開始のトリガは、特に限定されず、駐車制御装置１００の起動スイッチが操作されたことをトリガとしてもよい。
【００２１】
本実施形態の駐車制御装置１００は、車外から取得した操作指令に基づいて、車両Ｖを自動的に駐車スペースへ移動させる機能を備える。
【００２２】
ステップ１０１において、本実施形態に係る駐車制御装置１００の制御装置１０は、車両Ｖの複数個所に取り付けられた測距装置２によって測距信号をそれぞれ取得する。制御装置１０は、車両Ｖの複数個所に取り付けられたカメラ１ａ〜１ｄによって撮像された撮像画像をそれぞれ取得する。特に限定されないが、車両Ｖのフロントグリル部にカメラ１ａを配置し、リアバンパ近傍にカメラ１ｄを配置し、左右のドアミラーの下部にカメラ１ｂ、１ｃを配置する。カメラ１ａ〜１ｄとして、視野角の大きい広角レンズを備えたカメラを使用できる。カメラ１ａ〜１ｄは、車両Ｖの周囲の駐車スペースの境界線及び駐車スペースの周囲に存在する物体を撮像する。カメラ１ａ〜１ｄは、ＣＣＤカメラ、赤外線カメラ、その他の撮像装置である。
【００２３】
ステップ１０２において、制御装置１０は、駐車可能な駐車スペースを検出する。制御装置１０は、カメラ１ａ〜１ｄの撮像画像に基づいて、駐車スペースの枠(領域)を検出する。制御装置１０は、測距装置２の検出データ、撮像画像から抽出された検出データを用いて、空いている駐車スペースを検出する。制御装置１０は、駐車スペースのうち、空車（他車両が駐車していない）であり、駐車を完了させるための経路が算出可能である駐車スペースを、駐車可能スペースとして検出する。
本実施形態において駐車経路が算出可能であるとは、障害物（駐車車両を含む）と干渉することなく、現在位置から目標駐車スペースに至る経路の軌跡を路面座標に描けることである。
【００２４】
ステップ１０３において、制御装置１０は、駐車可能スペースを、操作端末５に送信し、そのディスプレイ５３に表示し、車両Ｖを駐車させる目標駐車スペースの選択情報の入力を操作者Ｍに要求する。目標駐車スペースは、制御装置１０、駐車施設側が自動的に選択してもよい。一の駐車スペースを特定する操作指令が操作端末５に入力された場合には、その駐車スペースを目標駐車スペースとして設定する。
【００２５】
本実施形態では、ステップ１０４において、乗員を降車させる。この後は、リモート操作により目標駐車スペースに車両Ｖを移動させる。目標駐車スペースは、乗員が降車後に選択してもよい。
【００２６】
ステップ１０５において、制御装置１０は、障害物の存在及び障害物の位置を検出する。障害物は、駐車場の壁、柱などの構造物、車両周囲の設置物、歩行者、他車両、駐車車両等を含む。制御装置１０は、車両Ｖに設けられた複数の測距装置２の検出結果、カメラ１の撮像画像に基づいて障害物を検出する。測距装置２は、レーダー装置の受信信号に基づいて物体の存否、物体の位置、物体の大きさ、物体までの距離を検出する。各カメラ１ａ〜１ｄの撮像画像に基づいて物体の存否、物体の位置、物体の大きさ、物体までの距離を検出する。なお、障害物の検出は、カメラ１ａ〜１ｄによるモーションステレオの技術を用いて行ってもよい。この検出結果は、駐車スペースが空いているか否か（駐車中か否か）の判断に用いられる。また、制御装置１０は、情報サーバ３の記憶装置３２から取得した駐車場情報３４に基づいて、駐車場の壁、柱などの構造物を含む障害物を検出できる。駐車場情報は、各駐車場（パーキングロット）の配置、識別番号、駐車施設における通路、柱、壁、収納スペースなどの位置情報を含む。情報サーバ３は駐車場が管理するものであってもよい。
【００２７】
ステップ１０６において、制御装置１０は、車両Ｖの停止位置から目標駐車スペースに至る駐車経路を算出する。駐車経路は、駐車スペースに移動するために必要な切り返し地点を含む。このとき、駐車経路は線として定義されるとともに、車幅に応じた車両Ｖの占有領域に応じた帯状の領域として定義される。車両Ｖの占有領域は、車幅と移動のために確保される余裕幅とを考慮して定義される。
【００２８】
ステップ１０７において、制御装置１０は、操作者から取得した操作指令に基づき、車両Ｖ１を目標駐車スペースへ移動させる制御命令を算出する。本実施形態の制御命令は、少なくとも、ステップ１０６において算出された目標駐車スペースへ至る駐車経路に沿って車両Ｖを移動させる第１行動を車両Ｖ実行させる第１制御命令を含む。第１制御命令は、車両Ｖの操舵量、操舵速度、操舵加速度、シフトポジション、速度、加速度、及び減速度のうちの何れか一つ以上についての動作命令を含む。また、制御命令は、上記車両Ｖの動作命令の実行タイミング又は実行位置を含む。
【００２９】
図３は、ステップ１０７のサブルーチンである。
図３のステップ１２１において、制御装置１０は、目標駐車スペースへ至る駐車経路を算出するとともに、その駐車経路に沿って移動させるという第１行動のための第１制御命令を算出する。制御命令の算出に必要な車両Ｖの諸元情報は、予め制御装置１０が記憶する。制御命令は、車両Ｖが駐車経路を走行する際における、タイミング又は位置に対応づけられた車両Ｖの操舵量、操舵速度、操舵加速度、シフトポジション、速度(ゼロを含む)、加速度、減速度その他の動作命令を含む。この駐車経路及び駐車経路に対応づけられた動作命令が車両Ｖによって実行されることにより、目標駐車スペースに車両Ｖを移動させる（駐車させる）ことができる。
【００３０】
続くステップ１２２において、制御装置１０は、第２制御命令を算出する。本実施形態の制御命令は、第１行動の実行開始の際に、加減速を含む第２行動を車両Ｖに実行させる第２制御命令を含む。制御装置１０は、第１制御命令と第２制御命令とを含む制御命令を算出し、これを車両Ｖに実行させる。
【００３１】
ここで第２行動について説明する。停止乃至低速走行中の車両Ｖに所定値以上の加減速をさせると車両Ｖにピッチングが起きる。ピッチングとは、図４（ａ）に示すように、車両Ｖの左右方向を軸として上下方向に回転する運動である。なお、車両Ｖの操舵角／タイヤ角が切られている場合には、加減速を含む第２行動を車両Ｖに実行させると、車両Ｖにヨーイングやローリングが起きることがある。ヨーイングは、走行面に対して垂直方向を軸として回転する運動である。ローリングは、車両の前後方向を軸として回転する運動である。第２制御命令は、第１行動の実行開始の際に、加減速を含む第２行動を車両Ｖに実行させる。
【００３２】
第１制御命令に加えて、目標駐車スペースに車両Ｖを移動させる第１行動の実行開始の際に、加減速を含む第２行動を車両Ｖに実行させる第２制御命令を実行させることにより、車両Ｖが駐車経路を目標駐車スペースに向かって動き出す（移動し始める）場面で、第２行動によるピッチングなどの動きの変化を車両Ｖにさせることができる。
車両Ｖの動きの変化は、車両外部に所在する者により視認できる。しかも、停止乃至低速移動している車両Ｖが、図４（ａ）に示すように上下方向にピッチングするなどの第２行動をすると、周囲の者はその車両Ｖの動きの変化によって、車両Ｖに注目することができる。このような車両Ｖの動きの変化は、目立つので、車両Ｖが視界に入っている車両外部の者は、車両Ｖの動きの変化（第２行動）を見て、車両Ｖの動きに変化があることを予測できる。駐車処理のための移動である第１行動が開始されることを、事前に外部に知らせることができる。通常、車両Ｖが目標駐車スペースへ向けて移動を開始するときには、ピッチング／ヨーイング／ローリングなどの動きの変化はない。一般的な駐車制御において行われることのない特徴的な動作を車両Ｖが行うことにより、車両Ｖの挙動の変化（移動を開始すること）を周囲に報知できる。
【００３３】
本実施形態の制御装置１０は、第２行動における車両Ｖの加速度を、第１行動における車両Ｖの加速度よりも大きい値となるように、第２制御命令を算出する。第２行動における加速度を、駐車経路を移動するための第１行動の加速度よりも大きく設定することにより、第２行動は、移動による第１行動とは異なる挙動となるようにすることができる。車両外部の者は、車両Ｖの動きの変化（第２行動）を見て、車両Ｖの動きの変化が特別なものであることを認識し、車両Ｖに変化があることを予測する。一般的な駐車制御における移動のための第１行動とは識別可能な第２行動を車両Ｖに実行させることにより、車両Ｖが移動を開始することを周囲に報知できる。第２行動が行われる時間は、第２行動が周囲に認識されるようにするために、１秒間〜３秒間、好ましくは２秒間程度とすることができる。第２行動の実行時間は、距離によっても定義できる。第２行動は、車両Ｖの移動が３０ｃｍ〜８０ｃｍ以内、好ましくは５０ｃｍ以下とすることができる。
【００３４】
本実施形態の制御装置１０は、第２行動の実行を開始させる第２タイミングが、第１行動の実行を開始させる第１タイミングの前の第１所定時間以内又は第１タイミングの後の第１所定時間以内となるように、第１制御命令と第２制御命令を組み合わせる。第１行動の実行を開始させる、つまり車両Ｖの移動を開始させる前に第２行動（ピッチング等）を車両Ｖに実行させることにより、車両Ｖが動き出す前に、車両Ｖが動き出すことを周囲に知らせることができる。第１行動の実行の開始後、つまり車両Ｖの移動が開始された後に第２行動（ピッチング等）を車両Ｖに実行させることにより、車両Ｖが動き出したことを、周囲に知らせることができる。駐車支援において目標駐車スペースに移動し始めたときの車速は低い。低い車速であれば移動量も小さく、周囲に与える影響も小さい。第２行動の実行のタイミングは、第１行動の前に限定されるべきものではなく、第１行動の後のタイミングであってもよい。ただし、第１行動の開始を知らせるために第１行動を実行するという観点から、第１行動と第２行動とは関連付けられた方が好ましい。このため、第１行動と第２行動の時間の間隔は限定された第１所定時間であることが好ましい。第１所定時間は３秒以内程度、好ましくは１秒程度とすることができる。第１行動の実行開始後、所定時間以内に第２行動を実行する場合も、第１行動の実行開始前、所定時間以内に第２行動を実行する場合と同様の作用効果を得ることができる。
【００３５】
第２行動の実行を開始させる第２タイミングが、第１タイミングの後の第１所定時間以内とする場合には、車両の発進後に第２行動が実行されることになる。このように、第１制御命令の後に第２制御命令を実行させる制御命令は、路面状態が滑りやすいときに好ましい。降雨、降雪、路面凍結の場合には、路面に対するタイヤの摩擦力が低く、このような場合に、第２行動（加減速）を実行させると、タイヤが空転してしまう可能性がある。先に第１制御命令の実行を開始しておき、その後に第２制御命令を実行することにより、加減速の変化率を低減させ、タイヤの空転を防止することができる。
制御装置１０は、路面状態の情報を取得し、路面状態が滑りやすい状態であると判断した場合には、第１行動の実行開始後に、加減速を含む第２行動を車両Ｖに実行させる第２制御命令を算出する。制御装置１０は、図示はしないが、車両Ｖに搭載されたＡＢＳ（Antilock Brake System）、電子制御ブレーキシステム、ＴＲＣ（Traction Control）、ＴＣＬ（Traction Control）、ＶＤＣ（Vehicle Dynamics Control）などの走行制御装置が検出した路面状態情報を、車両コントローラ７０を介して取得する。制御装置１０は、車両Ｖのワイパーの稼働状態の情報を、車両コントローラ７０を介して取得し、ワイパーの稼働状態に基づいて降雨、降雪、路面の濡れを判断することができる。制御装置１０は、車載のＧＰＳ受信機を含む現在位置検出装置から現在位置を取得し、現在位置の天候を外部の情報提供サーバから通信装置２１を介して取得し、車両Ｖの現在位置(駐車場)の降雨、降雪、路面の濡れを判断することができる。
【００３６】
本実施形態の制御装置１０は、第２制御命令が実行された後の所定時間経過後、第１制御命令を実行させるようにしてもよい。車両Ｖが第２制御命令に従い第２行動を実行した後に、第１制御命令に従い第２行動を開始して、目標駐車スペースへ移動を開始してもよい。第２行動の後に第１行動を開始すれば、車両外部の者は、車両Ｖの特別な動き（第２行動）を見て、その車両Ｖに変化があることを予測することができる。先に第２行動を車両Ｖに実行させることにより、車両Ｖが移動を開始することを周囲に報知できる。
【００３７】
続くステップ１２３において、制御装置１０は、第３制御命令を算出する。本実施形態の制御命令には、第１制御命令と第３制御命令を含ませることができる。本実施形態の制御命令には、第１、第２及び第３制御命令を含ませることもできる。
【００３８】
制御装置１０は、第１行動の実行開始の際に、車両Ｖを操舵させる第３行動を車両に実行させる第３制御命令を算出し、第１制御命令と第３制御命令を含む制御命令を算出して、制御命令を車両に実行させる。本実施形態の制御命令には、先述した第２制御命令を含めて、第１、第２及び第３制御命令を含ませることもできる。
【００３９】
ここで第３行動について説明する。第３行動は、車両が停止している状態において、車両Ｖを操舵させる行動である。車両Ｖが停止している状態から、第１行動である移動を開始する際に、操舵命令を車両Ｖの操舵装置５０に実行させると、車両Ｖが動き出す前後にタイヤが転舵され、タイヤを動かすことができる。模式的な図ではあるが、図４（ｂ）に示すように、操舵行動によりタイヤの向きを変化させることができる。タイヤは車両外部に所在する者により視認できる。車両Ｖが視界に入っている車両外部の者は、タイヤの動きを見て、車両Ｖの動きに変化があることを予測できる。駐車処理を実行する制御命令に、動き出すことを知らせるための操舵制御の命令を含ませることにより、車両Ｖが動き出すことを車両外部の者に報知することができる。タイヤの動きと合わせてステアリングホイールが回転するようにしてもよい。車両外部の者が車室内のステアリングホイールの動きも見ることができ、更に車両Ｖの動きに変化があることを予測しやすくなる。
【００４０】
本実施形態における第２制御命令において、操舵量はステアリング角として３６０度以上に相当する量であることが好ましい。ステアリングホイールを一回転（ステアリング角で３６０度）させると、タイヤの操舵量としては、タイヤ幅の約半分（５０％）が車体から出る状態となり、車外の者がタイヤの移動（回転）を確認できる。操舵命令における操舵量がステアリング角として５４０度以上であることが好ましい。ステアリングホイールを１．５回転させると、タイヤの操舵量として、タイヤ幅の７５％程度が車体から出る状態となり、車外の者がタイヤの移動（回転）を明確に確認できる。第２制御命令（操舵命令）における操舵量がステアリング角として７２０度以上であることが好ましい。ステアリングホイールを２回転させると、タイヤの操舵量としては、タイヤ幅の全部（一本分の幅）が車体から出る状態となり、車外の者がタイヤの移動（回転）をより明確に確認できる。車体からタイヤが出る量が多い方が車外の者からの確認は容易になるが、一般的な自動車の操舵機構のラック可動範囲から操舵命令における操舵量は、ステアリング角として９００度（２．５回転）程度が最大となる。
【００４１】
図５（ａ）に示すように、一般的な駐車制御開始の車両Ｖが停車している状態ＶＳにおけるタイヤＳＴＦの向きは車長方向に沿う方向である。移動を開始して切り返し地点ＶＴへ移動する際に車両Ｖは直進する。一般的な駐車経路ＲＴ１は、駐車制御開始地点ＶＳから所定長の直進区間を含む。同様に、切り返し地点ＶＴにおいて一時的に停止した状態におけるタイヤＳＴＦの向きは車長方向に沿う方向である。切り返し地点ＶＴで車両Ｖのシフトポジションはチェンジされ、車両Ｖは後退を開始するときもタイヤＳＴＦの向きは車長方向であるので、移動を開始して目標駐車スペースＶＰに移動する際に車両Ｖは直進する。一般的な駐車経路ＲＴ２は、切り返し地点ＶＰから所定長の直進区間を含む。一般的な駐車経路ＲＴ１、ＲＴ２は、直進区間に対応する直線部分と操舵区間に対応する円弧部分と、直線部分と円弧部分とをつなぐクレソイド曲線部分とを含む。
【００４２】
他方、図５（ｂ）に示す例では、駐車制御開始の車両Ｖが停車している状態におけるタイヤＳＴＦの向きは切り返し地点ＶＴが存在する方向（同図では右折方向）に操舵されている。同様に、切り返し地点ＶＴにおいて一時的に停止した状態におけるタイヤＳＴＦの向きは後方の目標駐車スペースＶＰが存在する方向（同図では進行方向を基準として後方左側）に操舵されている。このように、第３行動における第３制御命令（操舵命令）による移動方向は駐車経路の方向に沿うことが好ましい。操舵命令における操舵方向は、駐車経路における切り返し地点又は目標駐車スペースに至る方向である。第３制御命令の実行後のタイヤの切れ角は、車両Ｖの移動方向と共通するので、車外の者はタイヤの切れ角を見て、その車両Ｖの進行方向を推測できる。操舵方向が共通するので、車両Ｖが動き出すことを車外の者に知らせるために操舵命令を実行しても、駐車経路に沿って移動する車両Ｖの動きを妨げることがない。加えて、図５（ｂ）に示したように、操舵命令における操舵方向が、駐車経路ＲＴの曲線の旋回方向に沿う場合には、操舵命令の実行により車両Ｖを旋回させることができるので、駐車経路ＲＴの長さを短くできる。結果として駐車完了までの時間を短縮できる。
【００４３】
なお、図５（ｂ）に示すように、第２行動（前後に加減速する行動）は、駐車制御開始の車両Ｖが停車している状態ＶＳや、切り返し地点ＶＴにおいて一時的に停止した状態において実行することができる。
【００４４】
制御装置１０は、第３行動の実行を開始させる第３タイミングは、第１行動の実行を開始させる第１タイミングの前後の第２所定時間以内とする。第３行動の実行を開始させる第３タイミングが、第１行動の実行を開始させる第１タイミングの前の第２所定時間以内又は第１タイミングの後の第２所定時間以内となるように、第１制御命令と第３制御命令を組み合わせる。第２制御命令と第３制御命令の順番の前後は特に限定されない。第１行動の実行を開始させる、つまり車両Ｖの移動を開始させる前に第２行動（すえ切り等）を車両Ｖに実行させることにより、車両Ｖが動き出す前に、車両Ｖが動き出すことを周囲に知らせることができる。第１行動の実行の開始後、つまり車両Ｖの移動が開始された後に第３行動（タイヤの回転）を車両Ｖに実行させることにより、車両Ｖが動き出したことを、周囲に知らせることができる。駐車支援において目標駐車スペースに移動し始めたときの車速は低い。低い車速であれば移動量も小さく、周囲に与える影響も小さい。第３行動の実行は、第１行動の前に限定されるべきものではなく、第１行動の後であってもよい。ただし、第１行動の開始を知らせるために第３行動を実行するという観点から、第１行動と第３行動の時間の間隔は限定された第１所定時間であることが好ましい。第１所定時間は、車速が低い状態を考慮して１秒間〜３秒間、好ましくは１秒間程度とすることができる。
【００４５】
本実施形態の制御装置１０は第３制御命令を実行させた後の所定時間経過後、第１制御命令を実行させるようにしてもよい。車両Ｖが第２制御命令に従い第３行動を実行した後に、第１制御命令に従い第１行動を開始して、目標駐車スペースへ移動を開始してもよい。第３行動の後に第１行動を開始すれば、車両外部の者は、車両Ｖのタイヤの特別な動き（第３行動）を見て、その車両Ｖに変化があることを予測することができる。先に第３行動を車両Ｖに実行させることにより、車両Ｖが移動を開始することを周囲に報知できる。
【００４６】
続くステップ１２４において、制御装置１０は、第４制御命令を算出する。本実施形態の制御命令には、少なくとも第１制御命令と第４制御命令を含ませることができる。本実施形態の制御命令には、第１制御命令と、第２、第３及び第４制御命令のうちの少なくとも１つ以上の制御命令を含ませることもできる。
【００４７】
ここで第４行動について説明する。第４行動は、第１行動の実行開始を予告する報知の行動である。報知とは、外部に対して情報を示すことであり、音、光、音声、テキストにより示すことができる。外部に対する報知とは、図４（ｃ）に示すように、車外のライトなどを用いて情報を伝達することである。
【００４８】
具体的には、以下のような報知が可能である。車両Ｖが備える警報装置にクラクション等の音を出力させて第１行動の実行開始を報知する。車両Ｖが備えるスピーカーに音声出力させて第１行動の実行開始を報知する。車両Ｖが備える方向指示器を発光させて第１行動の実行開始を報知する。車両Ｖの外部で駆動可能なワイパーを稼働させて第１行動の実行開始を報知する。このように、車両がそもそも備える車載機器によって第１行動の実行開始を報知することが可能である。車両Ｖが外部に対する表示装置を備える場合には、その表示装置にテキストメッセージを表示させて第１行動の実行開始を報知する。第４行動を実行することにより、車外の歩行者等に、車両の車体の挙動に加えて、重畳的に情報を提示できるので、車両Ｖが第１行動を実行することを正確に伝達することができる。
【００４９】
図５（ｂ）に示すように、第４行動は、駐車制御開始の車両Ｖが停車している状態ＶＳや、切り返し地点ＶＴにおいて一時的に停止した状態において実行することができる。
【００５０】
最後に、ステップ１２５において、制御装置１０は、制御命令を算出する。この制御命令には、少なくとも第１制御命令が含まれる。本実施形態の制御命令は、第１及び第２制御命令を含む。加えて、制御命令には、第３制御命令及び／又は第４制御命令を制御命令に含ませることができる。
【００５１】
図６Ａ及び図６Ｂに基づいて、本実施形態の制御命令を説明する。
図６Ａは、駐車制御の開始から完了までのタイムチャートを示す。図６Ａに示す制御命令は、第１制御命令、第２制御命令、及び第４制御命令を含む。つまり、本制御命令が実行されるとき、車両は第１行動、第２行動及び第４行動を実行する。駐車制御が開始された後、車両Ｖは移動開始を待機する停止状態から、発進の動作を経て移動を開始する。移動を開始した車両Ｖは駐車経路に沿って走行し、目標駐車スペースへ至る。
【００５２】
制御装置１０は、車両Ｖに第４行動（報知行動）を実行させる。制御装置１０は、車両コントローラ７０を介して、車両Ｖにライトの点灯又は点滅（図４（ｃ）を参照）を実行させる。この第４行動により、車両が第１行動（駐車のための移動）を実行することを車両外部の者に知らせることができる。
【００５３】
制御装置１０は、第４制御命令の実行に相前後して、第２制御命令を実行する。第２制御命令の実行時間は３秒以内程度である。制御装置１０は、第２制御命令により、車両Ｖに第２行動を実行させる。制御装置１０は、車両コントローラ７０を介して、車両Ｖに所定値域の加速と減速を実行させる。加速量、減速量は、車両の性能に応じて適宜に決定する。これにより、車両はピッチングの挙動（図４（ａ）を参照）を示す。この第２行動により、車両が第１行動（駐車のための移動）を実行することを車両外部の者に知らせることができる。
【００５４】
第２制御命令の実行が完了したら、休止をとって第１制御命令の実行を開始する。休止の時間は短くてよい。特に限定されないが、０．１秒間〜１秒間程度とする。この一拍の休止により、第２行動を第１行動から明確に識別させることができる。また車外の者は、この休止により、車両Ｖの移動開始に対応した行動を検討することができる。第２行動の実行後、第１行動の実行を開始する。第１行動は、目標駐車スペースへ移動するための走行である。なお、本例では、第２行動を第１行動の前に組み込んだが、第１行動の開始直後であってもよい。駐車制御において移動開始時の速度は低く設定されることがあるため、第１行動の開始直後に第２行動を行うことで、第１行動への注意喚起をすることができる。
【００５５】
図６Ｂも、駐車制御の開始から完了までのタイムチャートを示す。図６Ｂに示す制御命令は、第１制御命令、第２制御命令、第３制御命令及び第４制御命令を含む。つまり、本制御命令が実行されるとき、車両は第１行動、第２行動、第３行動及び第４行動を実行する。
【００５６】
制御装置１０は、車両Ｖに第４行動（報知行動）を第４制御命令により実行させる（図４（ｃ）を参照）。制御装置１０は、第４制御命令の実行に相前後して、第３制御命令を実行する。制御装置１０は、車両Ｖに第３行動（操舵によるすえ切り行動）を実行させる（図４（ｂ）を参照）。操舵量は５４０度とする。第３行動に相前後して、制御装置１０は、第２制御命令により、車両Ｖに第２行動を実行させる。車両はピッチング挙動（図４（ａ）を参照）を示す。第２行動〜第４行動により、車両が第１行動（駐車のための移動）を実行することを車両外部の者に知らせることができる。
【００５７】
第２制御命令の実行が完了したら、休止をとって第１制御命令の実行を開始する。この処理は図６Ａにおけるものと同様である。なお、本例では、第２行動及び第３行動を第１行動の前に組み込んだが、第２行動及び／又は第３行動を第１行動の開始直後に実行させてもよい。駐車制御において移動開始時の速度は低く設定されることがあるため、第１行動の開始直後に第２行動及び／又は第３行動を行うことで、第１行動への注意喚起をすることができる。
【００５８】
車両Ｖが目標駐車スペースへ向かって移動を開始する際に第２行動（ピッチングなど）、第３行動（すえ切り）、及び第４行動（報知）の内の何れか一つ以上を実行することにより、車両Ｖが動き出すことを車両Ｖの外にいる者に報知できる。車両Ｖ自体が発進前に特徴的な動作を追加して行うため、車両周囲の歩行者や他車両の運転者は車両Ｖが動き出すことを認知することができる。一般的な駐車制御において、発進する前に、停止状態において操舵制御を実行することはない。このように特徴的な動作を車両Ｖが行うことにより、車両Ｖの挙動の変化を周囲に報知できる。
【００５９】
図７Ａ〜図７Ｃは、第１制御命令と第２制御命令を含む制御命令の一例を示すタイムチャート図である。
【００６０】
図７Ａに示す制御命令は、車両Ｖの加速度を一時的に高めるタイプの制御を実行させる。同図に示すように、第１制御命令の実行前に第２制御命令が実行される。同図に示すように、制御命令の最初に第２制御命令に基づいて、第２行動としての車両に加減速を実行させる。この第２行動の実行時間は特に限定されないが、１秒間〜３秒間程度、好ましくは２秒間である。移動距離に基づいて第２制御命令の実行時間を定義してもよい。その場合には３０ｃｍ〜６０ｃｍ程度、好ましくは５０ｃｍである。第１制御命令における加速度、減速度は、車両Ｖの性能に応じて適宜に設定する。その後、第１制御命令に基づいて、第１行動としての目標駐車スペースへの移動を開始・実行させる。第１行動の前に予備的な加減速を行うことにより、移動を開始する前に車両Ｖにピッチング（上下の動き）をさせるので、移動開始のタイミングを車両の周囲の歩行者に知らせることができる。
【００６１】
図７Ｂに示す制御命令は、車両Ｖの速度を一時的に高めるタイプの制御を実行させる。車両制御のパラメータを、図７Ｂに示す加減速から速度としたものであるが、速度を上げるためには必ず加速がされるので、この制御命令は、先述した図７Ａに示す制御命令の変形例である。図７Ｂに示すように、第１制御命令の実行前に第２制御命令が実行され、第２制御命令の後、休止をとって、第１制御命令が実行される。本例においても、制御命令の最初に第２制御命令に基づいて、第２行動としての車両に加減速が行われ車速を高めた後に、低くする。図７Ａの例と同様に、第１行動の前に予備的な速度の上昇と下降を行うことにより、移動を開始する前に車両Ｖにピッチング（上下の動き）をさせるので、移動開始のタイミングを車両の周囲の歩行者に知らせることができる。
【００６２】
図７Ｃに示す制御命令は、車両Ｖの第１制御命令の実行開始の際であって、第１制御命令の開始後のタイミングで第２制御命令を実行する。同図に示すように、制御命令の最初に、第１制御命令に基づいて、第１行動としての目標駐車スペースへの移動が実行される。第１制御命令の開始直後に第２制御命令に基づいて、第２行動としての車両の加減速が行われる。第１制御命令の開始タイミングと第２制御命令の開始タイミングとの間隔は３秒以内程度で、好ましくは１秒程度である。この時間は、車両の性能、第１行動の初速、路面の滑りやすさによっても異なるので、車両ごと、初速ごと、路面状態ごとに適宜に設定できる。
【００６３】
駐車制御における初速は低いので、第１制御命令の開始後に車速が急上昇することはない。車速は低いので、移動距離も短く周囲に与える影響は少ない。第２制御命令の実行後も第１制御命令の実行を継続する。第１行動の開始の際、第１制御命令の実行開始直後（所定時間の経過後）に予備的な加減速を行うことにより、車両が移動しはじめたときに車両Ｖにピッチング（上下の動き）をさせるので、移動開始のタイミングを車両の周囲の歩行者に知らせることができる。
【００６４】
また、本例のような第１制御命令の後に第２制御命令を実行させる制御命令は、路面状態が滑りやすいときに適用できる。路面に対するタイヤの摩擦力が低い場合に、第２行動（加減速）を実行させると、タイヤが空転する可能性がある。このため、先に第１制御命令の実行を開始しておき、その後に第２制御命令を実行することにより、加減速の変化率を低減させ、タイヤの空転を防止することができる。
【００６５】
図８は、第１〜第４制御命令を含む制御命令の例を示すタイムチャート図である。わかりやすくするために、第３制御命令と第４制御命令を別のチャートとして示す。本例の制御命令では、先に第２制御命令を実行し、その後、第１制御命令を実行する。先述した図７Ａと同じパターンである。それに加えて、制御命令は、第３制御命令を含む。第３制御命令は、第２制御命令よりも先に実行される。第３制御命令は、車両を操舵させる制御であり、第３行動としてはすえ切りである。タイヤが動くので、車両の周囲の歩行者等は、車両が動きだすことを認識できる。本制御命令は第４制御命令を含む。第４制御命令は、第１行動の実行開始を報知する第４行動を実行させる命令である。第４行動は、ランプの点灯や警告音・音声の出力などである。制御命令は必ず第１制御命令を含むため、第１制御命令の実行開始のタイミングに応じて第４制御命令の実行タイミングが決定される。第１〜第４制御命令を含む制御命令は、共通の時間軸において実行される。この制御命令が実行されると、まず、ウィンカランプが点灯する第４行動が実行され、第４行動と相前後してタイヤを切り込む（すえ切り）第３行動が実行される。そして、車両に加減速をさせる第２行動を実行させる第２制御命令が実行される。その後、車両を目標駐車スペースに移動させる第１行動が実行される。第１行動の実行開始タイミングは図７Ｂに示すように、第２行動の後に休止時間をおいてからでもよいし、図７Ｃに示すように、第１行動の開始後に第２行動を実行させてもよい。
【００６６】
図２に戻り、ステップ１０８以降の処理を説明する。本実施形態の駐車制御装置１００は、車両Ｖに搭乗することなく、外部から車両Ｖに目標駐車スペースの設定指令、駐車制御処理の開始指令、駐車中断・中止指令などを送信して駐車を行うリモート操作による駐車制御処理を実行する。
【００６７】
ステップ１０８において、駐車経路が適当であると操作者に確認された場合には、車外の操作者Ｍの実行命令を受け付けて、ステップ１０９に進む。ステップ１０９において、制御装置１０は制御命令を実行する。ステップ１０７において算出された制御命令には、第１制御命令と第２制御命令が含まれる。加えて、第３制御命令及び／又は第４制御命令を制御命令に含ませることができる。
【００６８】
本実施形態の駐車制御装置１００は、車両Ｖが駐車経路に沿って移動するように、制御命令に従い、車両コントローラ７０を介して駆動システム４０の動作を制御する。駐車制御装置１００は、計算された駐車経路に車両Ｖの走行軌跡が一致するように操舵装置５０が備える操舵角センサ５０ａの出力値をフィードバックしながらＥＰＳモータなどの車両Ｖの駆動システム４０への指令を演算し、この指令の信号を駆動システム４０又は駆動システム４０を制御する車両コントローラ７０へ送出する。
【００６９】
本実施形態の駐車制御装置１００は、駐車制御コントロールユニットを備える。駐車制御コントロールユニットは、ＡＴ／ＣＶＴコントロールユニットからのシフトレンジ情報、ＡＢＳコントロールユニットからの車輪速情報、舵角コントロールユニットからの舵角情報、ＥＣＭからのエンジン回転数情報等を取得する。駐車制御コントロールユニットは、これらに基づいて、ＥＰＳコントロールユニットへの自動操舵に関する指示情報、メータコントロールユニットへの警告等の指示情報等を演算し、出力する。制御装置１０は、車両Ｖの操舵装置５０が備える操舵角センサ５０ａ、車速センサ６０その他の車両Ｖが備えるセンサが取得した各情報を、車両コントローラ７０を介して取得する。
【００７０】
本実施形態の駆動システム４０は、駐車制御装置１００から取得した指令信号に基づく駆動により、車両Ｖを現在位置から目標駐車スペースに移動(走行)させる。本実施形態の操舵装置５０は、車両Ｖの左右方向への移動を行う駆動機構である。駆動システム４０に含まれるＥＰＳモータは、駐車制御装置１００から取得した制御指令信号に基づいて操舵装置５０の操舵機構が備えるパワーステアリング機構を駆動してタイヤの操舵量を制御し、車両Ｖを目標駐車スペースへ移動する際の操作を制御する。なお、駐車をさせるための車両Ｖの制御内容及び動作手法は特に限定されず、出願時において知られた手法を適宜に適用できる。
【００７１】
本実施形態における駐車制御装置１００は、車両Ｖの位置と目標駐車スペースの位置とに基づいて算出された経路に沿って、車両Ｖを目標駐車スペースへ移動させる際に、アクセル・ブレーキが指定された制御車速（設定車速）に基づいて自動的に制御されるとともに、操舵装置５０の操作が車速に応じて自動で車両Ｖの動きを制御する。
【００７２】
駐車制御の開始後、ステップ１１０において、本実施形態の制御装置１０は、障害物、目標駐車スペースなどの検出内容を検討し、駐車制御に影響を与える駐車環境要因の変化の有無を判断する。駐車環境要因の監視は継続的に行われる。
駐車環境要因に変化があった場合には、再度、駐車経路を算出し、制御命令を再計算する。駐車環境要因に変化がなければ、ステップ１０９において算出された制御命令の実行を継続する。
【００７３】
ステップ１１１において、制御装置１０は、車両Ｖが切り返し地点に到達するまで、車両周囲の障害物を監視する。車両Ｖが切り返し地点に到達したら、ステップ１１２において、制御命令に含まれるシフトチェンジを実行する。その後、ステップ１１３において制御命令を継続的に実行し、ステップ１１４の駐車制御の完了に至る。
【００７４】
本発明の実施形態の駐車制御方法は、以上のように駐車制御装置において使用されるので、以下の効果を奏する。本実施形態の駐車制御装置１００は、以上のように構成され動作するので、以下の効果を奏する。
【００７５】
［１］本実施形態の駐車制御方法又は駐車制御装置によれば、目標駐車スペースに車両Ｖを移動させる第１行動を実行させる第１制御命令に加えて、第１行動の実行開始の際に、加減速を含む第２行動を車両Ｖに実行させる第２制御命令を実行させることにより、車両Ｖが駐車経路を目標駐車スペースに向かって動き出す（移動し始める）場面で、第２行動により車両Ｖにピッチングなどの動きの変化をさせることができる。このような車両Ｖの動きの変化は、車両外部に所在する者により視認できる。車両Ｖが視界に入っている車両外部の者は、車両Ｖの動きの変化（第２行動）を見て、車両Ｖの動きに変化があることを予測できる。駐車処理のための移動である第１行動が開始されることを、事前に外部に知らせることができる。通常、車両Ｖが目標駐車スペースへ向けて移動を開始するときには、ピッチング／ヨーイング／ローリングなどの動きの変化はない。一般的な駐車制御において行われることのない特徴的な動作を車両Ｖが行うことにより、車両Ｖの挙動の変化（移動を開始すること）を周囲に報知できる。
【００７６】
［２]本実施形態の駐車制御方法又は駐車制御装置によれば、第２行動における車両Ｖの加速度を、第１行動における車両Ｖの加速度よりも大きい値となるように、第２制御命令を算出する。第２行動における加速度を、駐車経路を移動するための第１行動の加速度よりも大きく設定することにより、第２行動は、移動による第１行動とは異なる挙動となるようにすることができる。車両外部の者は、車両Ｖの動きの変化（第２行動）を見て、歩行者などは、車両Ｖの動きが特別なものであることを認識し、車両Ｖに変化があることを予測する。一般的な駐車制御における移動のための第１行動とは識別可能な第２行動を車両Ｖに実行させることにより、車両Ｖが移動を開始することを周囲に報知できる。
【００７７】
［３］本実施形態の駐車制御方法又は駐車制御装置によれば、第２行動の実行を開始させる第２タイミングが、第１行動の実行を開始させる第１タイミングの前の第１所定時間以内又は第１タイミングの後の第１所定時間以内となるように、第１制御命令と第２制御命令を組み合わせる。第１行動の実行を開始させる、つまり車両Ｖの移動を開始させる前に第２行動（ピッチング等）を車両Ｖに実行させることにより、車両Ｖが動き出す前に、車両Ｖが動き出すことを周囲に知らせることができる。第１行動の実行の開始後、つまり車両Ｖの移動が開始された後に第２行動（ピッチング等）を車両Ｖに実行させることにより、車両Ｖが動き出したことを、周囲に知らせることができる。駐車支援において目標駐車スペースに移動し始めたときの車速は低い。低い車速であれば移動量も小さく、周囲に与える影響も小さい。第２行動の実行は、第１行動の前に限定されるべきものではなく、第１行動の後であってもよい。
【００７８】
［４］本実施形態の駐車制御方法又は駐車制御装置によれば、第２制御命令が実行された後の所定時間経過後、第１制御命令を実行させるようにしてもよい。車両Ｖが第２制御命令に従い第２行動を実行した後に、第１制御命令に従い第２行動を開始して、目標駐車スペースへ移動を開始してもよい。第２行動の後に第１行動を開始すれば、車両外部の者は、車両Ｖの特別な動き（第２行動）を見て、その車両Ｖに変化があることを予測することができる。先に第２行動を車両Ｖに実行させることにより、車両Ｖが移動を開始することを周囲に報知できる。
【００７９】
［５］本実施形態の駐車制御方法又は駐車制御装置によれば、車両Ｖが停止している状態から、第１行動である移動を開始する際に、操舵命令を車両Ｖの操舵装置５０に実行させると、車両Ｖが動き出す前後にタイヤが転舵され、タイヤを動かすことができる。タイヤは車両外部に所在する者により視認できる。車両Ｖが視界に入っている車両外部の者は、タイヤの動きを見て、車両Ｖの動きに変化があることを予測できる。駐車処理を実行する制御命令に、動き出すことを知らせるための操舵制御の命令を含ませることにより、車両Ｖが動き出すことを車両外部の者に報知することができる。タイヤの動きと合わせてステアリングホイールが回転するようにしてもよい。車両外部の者が車室内のステアリングホイールの動きも見ることができ、更に車両Ｖの動きに変化があることを予測しやすくなる。
【００８０】
［６］本実施形態の駐車制御方法又は駐車制御装置によれば、第３行動の実行を開始させる第３タイミングは、第１行動の実行を開始させる第１タイミングの前後の第２所定時間以内とする。第３行動の実行を開始させる第３タイミングが、第１行動の実行を開始させる第１タイミングの前の第２所定時間以内又は第１タイミングの後の第２所定時間以内となるように、第１制御命令と第３制御命令を組み合わせる。第２制御命令と第３制御命令の順番の前後は特に限定されない。第１行動の実行を開始させる、つまり車両Ｖの移動を開始させる前に第２行動（すえ切り等）を車両Ｖに実行させることにより、車両Ｖが動き出す前に、車両Ｖが動き出すことを周囲に知らせることができる。第１行動の実行の開始後、つまり車両Ｖの移動が開始された後に第３行動（タイヤの回転）を車両Ｖに実行させることにより、車両Ｖが動き出したことを、周囲に知らせることができる。駐車支援において目標駐車スペースに移動し始めたときの車速は低い。低い車速であれば移動量も小さく、周囲に与える影響も小さい。第３行動の実行は、第１行動の前に限定されるべきものではなく、第１行動の後であってもよい。
【００８１】
［７］本実施形態の駐車制御方法又は駐車制御装置によれば、第３制御命令を実行させた後の所定時間経過後、第１制御命令を実行させるようにしてもよい。車両Ｖが第２制御命令に従い第３行動を実行した後に、第１制御命令に従い第１行動を開始して、目標駐車スペースへ移動を開始してもよい。第３行動の後に第１行動を開始すれば、車両外部の者は、車両Ｖのタイヤの特別な動き（第３行動）を見て、その車両Ｖに変化があることを予測することができる。先に第３行動を車両Ｖに実行させることにより、車両Ｖが移動を開始することを周囲に報知できる。
【００８２】
［８］本実施形態の駐車制御方法又は駐車制御装置によれば、第４行動を実行することにより、車外の歩行者等に、車両の車体の挙動に加えて、重畳的に情報を提示できるので、車両Ｖが第１行動を実行することを正確に伝達することができる。
【００８３】
［９］本実施形態の駐車制御方法が実行される駐車制御装置１００においても、上記１から８に記載した作用及び効果を奏する。
【００８４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００８５】
１０００…駐車制御システム
１００…駐車制御装置
１０…制御装置
１１…ＣＰＵ
１２…ＲＯＭ
１３…ＲＡＭ
１３２…記憶装置
１３３…地図情報
１３４…駐車場情報
１３５…障害物情報
２０…入力装置
２１…通信装置
３０…出力装置
３１…ディスプレイ
１ａ〜１ｄ…カメラ
２…測距装置
３…情報サーバ
３１…通信装置
３２…記憶装置
３３…地図情報
３４…駐車場情報
３５…障害物情報
５…操作端末
５１…通信装置
５２…入力装置
５３…ディスプレイ
２００…車載装置
４０…駆動システム
５０…操舵装置
５０ａ…操舵角センサ
６０…車速センサ
７０…車両コントローラ
Ｖ…車両
【図１】
2019119232.tif 000003
【図２】
2019119232.tif 000004
【図３】
2019119232.tif 000005
【図４】
2019119232.tif 000006
【図５】
2019119232.tif 000007
【図６Ａ】
2019119232.tif 000008
【図６Ｂ】
2019119232.tif 000009
【図７Ａ】
2019119232.tif 000010
【図７Ｂ】
2019119232.tif 000011
【図７Ｃ】
2019119232.tif 000012
【図８】
2019119232.tif 000013